(57)【要約】      （修正有）【課題】用紙の浮き上がりを抑制することができるリングノートを提供する。【解決手段】綴じ孔３１を有した複数枚の用紙を合成樹脂製のリング４により綴じてなるリングノートであって、リングが、綴じ孔にそれぞれ挿通された複数のリング本体５と、これらリング本体の基端を相互に連結するとともに各リング本体の先端側を保持して各リング本体を閉環状に維持するベース６とを具備してなり、リング本体が、ベースの一側縁側に位置し用紙を綴じる環状部５１と、ベースに接合された先端接続部５２とを備えたものであり、ベースが、先端接続部が接合される接合部と、これら接合部以外の非接合部とを長手方向に交互に備えたものであり、非接合部の一側縁を接合部の一側縁よりも環状部から離れる方向に偏位させて、接合部及び先端接続部の一部が用紙の綴じ孔内に入り込み得るように構成する。【選択図】図５
2015174414.tif 000002
【特許請求の範囲】
【請求項１】
綴じ孔を有した複数枚の用紙を合成樹脂製のリングにより綴じてなるリングノートであって、
前記リングが、前記綴じ孔にそれぞれ挿通された複数のリング本体と、これらリング本体の基端を相互に連結するとともに前記各リング本体の先端側を保持して各リング本体を閉環状に維持するベースとを具備してなり、前記リング本体が、前記ベースの一側縁側に位置し用紙を綴じる環状部と、前記ベースに接合された先端接続部とを備えたものであり、前記ベースが、前記先端接続部が接合される接合部と、これら接合部以外の非接合部とを長手方向に交互に備えたものであり、前記非接合部の一側縁を前記接合部の一側縁よりも前記環状部から離れる方向に偏位させて、前記接合部及び前記先端接続部の一部が用紙の綴じ孔内に入り込み得るように構成したリングノート。
【請求項２】
前記用紙である複数枚の中紙と表紙とをリングにより綴じてなるリングノートであって、前記ベースが、前記中紙と表紙との間に位置させたものであり、前記接合部及び前記先端接続部の一部が、表紙の綴じ孔に入り込み得るように構成されている請求項１記載のリングノート。
【請求項３】
前記環状部が、前記ベースの接合部の一側縁から立ち上がる平面帯状部分と、この平面帯状部分の先端に連続して形成され湾曲して前記先端接続部に至る曲面帯状部分とを備えたものである請求項１または２記載のリングノート。
【請求項４】
前記ベースの接合部及びリング本体の先端接続部の幅寸法が、環状部の幅寸法とほぼ同一に設定されている請求項１、２または３記載のリングノート。
【発明の詳細な説明】
【技術分野】
【０００１】
本発明は、複数枚の用紙がリングにより綴じられたリングノートに関する。
【背景技術】
【０００２】
従来、複数の綴じ孔を有した複数枚の用紙をリングにより綴じてなるリングノートが種々知られている。従来のリングは、金属線材を折り曲げ加工等して変形させて作られたものが一般的であったが、このようなリングに手が触れると違和感があり、この不具合を解消するために、使用者の手が触れた際に一時的な弾性変形が生じる合成樹脂製等の軟質素材で作られたリングを備えたリングノートが開発されている（例えば、下記特許文献１を参照）。
【０００３】
このリングノートＸ１０は、図１３及び図１４に示すように、綴じ孔Ｘ１１、Ｘ２１、Ｘ３１を有した表表紙Ｘ１、裏表紙Ｘ２及び中紙Ｘ３をリングＸ４により綴じてなるものである。なお、図１３は、リングノートＸ１０の裏表紙Ｘ２を開いた状態の正面図であり、図１４は、図１３のＷ−Ｗ線断面で示すリングＸ４と全ての用紙Ｘ１、Ｘ２、Ｘ３を片側に寄せた状態を示す図である。
【０００４】
このリングＸ４は、綴じ孔Ｘ１１、Ｘ２１、Ｘ３１にそれぞれ挿通された複数のリング本体Ｘ５と、これらリング本体Ｘ５を閉環状に維持する正面視略矩形状をなすベースＸ６とを備えている。また、各リング本体Ｘ５は、ベースＸ６に溶着された先端接続部Ｘ５２と、この先端接続部Ｘ５２の基端部分から屈曲して縦断面視ほぼ円形状に成形された環状部Ｘ５１とを備えている。
【０００５】
上述したリングノートＸ１０を、例えば、図１４に示したような状態で使用する際、すなわち、ベースＸ６の上方に配置される中紙Ｘ３の枚数が少なくなった場合には、リングＸ４のうち、先端接続部Ｘ５２の基端部分（及びベースＸ６の一側縁Ｘ６ａ）から先端接続部Ｘ５２の先端部分（及びベースＸ６の他側縁Ｘ６ｂ）までの板状領域が、全体にわたって裏表紙Ｘ２から立ち上がってしまう。そして、これに伴って中紙Ｘ３が裏表紙Ｘ２から浮き上がってしまい、筆記等の作業が行いにくくなるという不具合が生じる。
【先行技術文献】
【特許文献】
【０００６】
【特許文献１】特許第５３７４７２１号公報
【発明の概要】
【発明が解決しようとする課題】
【０００７】
本発明は、用紙の浮き上がりを抑制することができるリングノートを提供することを目的とする。
【課題を解決するための手段】
【０００８】
本発明は、以上のような課題を解決するために、次のような構成を採用したものである。すなわち、本発明に係るリングノートは、綴じ孔を有した複数枚の用紙を合成樹脂製のリングにより綴じてなるものであって、前記リングが、前記綴じ孔にそれぞれ挿通された複数のリング本体と、これらリング本体の基端を相互に連結するとともに前記各リング本体の先端側を保持して各リング本体を閉環状に維持するベースとを具備してなり、前記リング本体が、前記ベースの一側縁側に位置し用紙を綴じる環状部と、前記ベースに接合された先端接続部とを備えたものであり、前記ベースが、前記先端接続部が接合される接合部と、これら接合部以外の非接合部とを長手方向に交互に備えたものであり、前記非接合部の一側縁を前記接合部の一側縁よりも前記環状部から離れる方向に偏位させて、前記接合部及び前記先端接続部の一部が用紙の綴じ孔内に入り込み得るように構成したことを特徴とする。
【０００９】
ここで、「用紙」は、リングノートとして製本され得るシート状のものであればよく、紙製のものの他、プラスチック製のものも含まれる。また、用紙の用途としては、筆記用のものや貼り付け用のもの等が考えられる。
【００１０】
また、「環状」とは、必ずしも滑らかな円形状になっている必要はなく、一部にかどばった部分があるものも含む概念である。
【００１１】
前記用紙である複数枚の中紙と表紙とをリングにより綴じてなるリングノートであって、前記ベースが、前記中紙と表紙との間に位置させたものであり、前記接合部及び前記先端接続部の一部が、表紙の綴じ孔に入り込み得るように構成されているものが具体的な一態様として挙げられる。
【００１２】
前記環状部としては、前記ベースの接合部の一側縁から立ち上がる平面帯状部分と、この平面帯状部分の先端に連続して形成され湾曲して前記先端接続部に至る曲面帯状部分とを備えたものが好ましい。
【００１３】
前記ベースの接合部及びリング本体の先端接続部の幅寸法は、環状部の幅寸法とほぼ同一に設定されているものが好ましい。
【発明の効果】
【００１４】
本発明は、以上のような構成であるから、用紙の浮き上がりを抑制することができるリングノートを提供することができる。
【図面の簡単な説明】
【００１５】
【図１】本発明の一実施形態を示すリングノートの全体図。
【図２】同実施形態の要部を拡大して示す拡大斜視図。
【図３】同実施形態の要部を拡大して示す正面図。
【図４】同実施形態の底面側を拡大して示す拡大底面図。
【図５】図３のＸ−Ｘ線断面で示すリングと全ての用紙を片側に寄せた状態を示す図。
【図６】図３のＹ−Ｙ線拡大端面図。
【図７】同実施形態のリングを形成するリング形成部材を示す説明図。
【図８】同実施形態のリング形成部材を拡大して示す平面図。
【図９】図８のＺ−Ｚ線断面図。
【図１０】同実施形態のリングノートの製造方法を示す説明図。
【図１１】同実施形態のリングノートの製造方法を示す説明図。
【図１２】同実施形態のリングノートの製造方法を示す説明図。
【図１３】従来のリングノートにおける図３に対応する図。
【図１４】従来のリングノートにおける図５に対応する図。
【発明を実施するための形態】
【００１６】
以下、本発明の一実施形態について図面を参照しながら説明する。
【００１７】
本実施形態にかかるリングノートＮは、図１〜図５に示すように、綴じ孔１１、２１、３１を有した複数枚の用紙である表紙１、２及び中紙３をリング４により綴じてなるものである。具体的には、このリングノートＮは、合成樹脂製のシートや厚紙等により作られた表表紙１及び裏表紙２と、これら表表紙１及び裏表紙２の間に配される筆記用の複数枚の中紙３と、これら表表紙１、裏表紙２及び中紙３の綴じ元に形成された複数の綴じ孔１１、２１、３１を用いてこれら表表紙１、裏表紙２及び中紙３を綴じるリング４とから構成される。綴じ孔１１、２１、３１は矩形状をなす通常のものであり、表表紙１、裏表紙２及び中紙３の綴じ元側にそれぞれ所定のピッチで複数設けられている。
【００１８】
前記リング４は、図１〜図６に示すように、軟質樹脂、例えば、ポリプロピレン等の合成樹脂製のものであり、前記綴じ孔１１、２１、３１にそれぞれ挿通された複数のリング本体５と、これらリング本体５の基端を相互に連結するとともに前記各リング本体５の先端側を保持して各リング本体５を閉環状に維持するベース６とを具備してなる。
【００１９】
前記各リング本体５は、図１〜図６に示すように、前記ベース６の一側縁６ａ側に位置し表表紙１、裏表紙２及び中紙３を綴じる環状部５１と、前記ベース６に溶着された先端接続部５２とを備えたものである。このリング本体５は、前記環状部５１に使用者の手が触れた際に一時的な弾性変形が生じるが、その外力が解除されると元の閉環状をなす湾曲形状に自己復帰し得る軟質素材で作られている。すなわち、このリング本体５は、素材と形状と厚みのバランスによって、外力が加わらない限り所定のリング形状を維持する定型性を備えているとともに、弾性変形時に厚み方向に一時的に潰れた後、再び元の形状に復帰する復元性を備えている。
【００２０】
前記各環状部５１は、図１〜図６に示すように、外面５５側の両側縁５６に面取形状部分５７を備えたものであり、図６に示すように、横断面において中央から両側縁５６に向かって漸次薄肉となる形状をなしている。また、この環状部５１は、後述するベース６の接合部６１の一側縁６１ａから立ち上がる平面帯状部分５３と、この平面帯状部分５３の先端に連続して形成され湾曲して前記先端接続部５２に至る曲面帯状部分５４とを備えている。前記平面帯状部分５３は、表表紙１、裏表紙２及び中紙３の綴じ元側の端縁１２、２２、３２及びこれに対応する反綴じ元側の端縁を揃えるためのもので、表表紙１、裏表紙２及び中紙３の合計厚み寸法に対応させた長さ寸法を備えている。前記曲面帯状部分５４は、開閉される表表紙１や中紙３を案内するためのもので、部分的に円弧形状をなしている。
【００２１】
前記各先端接続部５２は、図２〜図５に示すように、前記リング本体５の環状部５１の先端に連続して設けられたもので、前記ベース６の接合部６１に溶着されている。前記先端接続部５２のベース６に対する溶着面には、位置決め用突起５８が設けられており、この位置決め用突起５８が後述するベース６に設けられた位置決め用凹所６３に係わり合っている。前記位置決め用突起５８は、例えば、円柱状のものである。
【００２２】
前記ベース６は、図１〜図５に示すように、前記先端接続部５２が溶着される接合部６１と、これら接合部６１以外の非接合部６２とを長手方向に交互に備えたものであり、平板状をなしている。本実施形態のベース６は、前記非接合部６２の一側縁６２ａを前記接合部６１の一側縁６１ａよりも前記環状部５１から離れる方向に偏位させて、図５に示すように、前記接合部６１及び前記先端接続部５２の一部が用紙である裏表紙２、表表紙１及び一部の中紙３の綴じ孔２１、１１、３１内に入り込み得るように構成されている。詳述すれば、前記ベース６は、前記中紙３と裏表紙２との間に位置させたものであって、前記中紙３と前記ベース６とが接し得るとともに前記裏表紙２と前記先端接続部５２が接し得るように配されており、図３及び図５でパターンを付けて示している前記接合部６１及び前記先端接続部５２の一部が、少なくとも裏表紙２の綴じ孔２１に入り込み得るように構成されている。より具体的に説明すれば、前記先端接続部５２と前記ベース６とが接合（溶着）される部分は、ベース６の接合部６１のうち非接合部６２の一側縁６２ａに対応する基準位置６１ｃよりも環状部５１側にはみ出している。このはみ出した部分（図３及び図５では、この部分にパターンを付して示している）、すなわち、接合部６１の前記基準位置６１ｃから延出された部分においても、先端接続部５２とベース６とが溶着されている。換言すれば、ベース６をほぼ矩形状のものと考えたときには、その矩形部分からはみ出した部分（図３及び図５でパターンを付けて示した「はみ出し延長部」）が、「少なくとも前記裏表紙２の綴じ孔２１に入り込み得るように構成された前記接合部６１及び前記先端接続部５２の一部」であると言える。なお、前記ベース６の接合部６１及びリング本体５の先端接続部５２の幅寸法は、前記環状部５１の幅寸法とほぼ同一に設定されている。また、本実施形態のベース６には、溶着される際に前記位置決め用突起５８と係わり合ってリング本体５の先端接続部５２と当該ベース６とを位置決めするための位置決め用凹所６３が設けられている。前記位置決め用凹所６３は、前記位置決め用突起５８が係合可能な形状、例えば、円形孔である。
【００２３】
前記リング４は、図７〜図９に示すように、前記リング本体５を形成するためのリング本体対応部８と、前記ベース６を形成するためのベース対応部９とを備えたリング形成部材７により作られたものである。前記リング本体対応部８と前記ベース対応部９とは、軟質素材である合成樹脂により一体にインジェクション成形されたものである。
【００２４】
前記リング本体対応部８は、図７〜図９に示すように、前記環状部５１を形成するための環状部対応領域８１と、この環状部対応領域８１の先端側に連続して設けられ前記先端接続部５２を形成するための先端接続部対応領域８２とを備えたものである。
【００２５】
前記各環状部対応領域８１は、図７〜図９に示すように、予備的に湾曲した立体形状をなしている。具体的には、前記平面帯状部分５３を形成するための平面帯状部分対応箇所８３と、前記曲面帯状部分５４を形成するための第１、第２の曲面帯状部分対応箇所８４、８５とを備えている。前記平面帯状部分対応箇所８３は、ベース対応部９の一側縁から屈曲させた状態で延出する平帯状のものである。前記第１の曲面帯状部分対応箇所８４は、前記平面帯状部分対応箇所８３の先端から屈曲させた状態で延出する湾曲帯状のもので、縦断面視において部分円弧状をなしている。前記第２の曲面帯状部分対応箇所８５は、前記第１の曲面帯状部分対応箇所８４の先端から連続して延びる湾曲帯状のもので、縦断面視において部分円弧状をなしている。前記第１の曲面帯状部分対応箇所８４の曲率と第２の曲面帯状部分対応箇所８５の曲率とは、相互に異ならせてある。前記第１、第２の曲面帯状部分対応箇所８４、８５は、完成された環状部５１の曲面帯状部分５４がほぼ円弧状をなすように設計されており、前記各曲率はその目的に沿った値に設定されている。すなわち、前記環状部対応領域８１を強制的に湾曲変形させて前記先端接続部対応領域８２をベース対応部９に溶着することにより、前記環状部５１が前記環状部対応領域８１により形成されるものであり、この環状部５１が、縦断面視において部分円弧状をなすように前記第１、第２の曲面帯状部分対応箇所８４、８５の曲率が設定されている。
【００２６】
前記各先端接続部対応領域８２は、図７〜図９に示すように、前記第２の曲面帯状部分対応箇所８５の先端から屈曲した状態で延出する平帯状のもので、一面側に前記ベース対応部９に溶着される溶着面８６を備えている。この溶着面８６には、前記位置決め用突起５８と、溶着される際に優先的に溶融して溶着面８６と後述する溶着面９３との溶着を促進する溶着促進要素８７を備えている。前記溶着促進要素８７は、前記溶着面８６における前記位置決め用突起５８の近傍に配されており、前記溶着面８６に一体に形成されている。具体的には、半球状をなす溶着促進要素８７が、所定のパターンで複数個、前記溶着面８６上に配置されている。先端接続部対応領域８２は、前記リング本体５の先端接続部５２に相当する主要部８８と、リング４完成前に切り離される主要部以外の部位８９とを備えており、前述した位置決め用突起５８及び溶着促進要素８７は、前記主要部８８に形成されている。なお、図７〜図１１では、主要部以外の部位８９にパターンを付して示している。
【００２７】
前記ベース対応部９は、図７〜図９に示すように、平帯状のもので、前記接合部６１に対応する接合部対応領域９１と、前記非接合部６２に対応する非接合部対応領域９２とを交互に備えている。各接合部対応領域９１の一面側には、前記先端接続部対応領域８２に溶着される溶着面９３を備えている。この溶着面９３には、前記位置決め用凹所６３と、溶着される際に優先的に溶融して溶着面８６、９３同士の溶着を促進する溶着促進要素９４を備えている。前記溶着促進要素９４は、前記溶着面９３における前記位置決め用凹所６３の近傍に配されており、前記溶着面９３に一体に形成されている。具体的には、半球状をなす溶着促進要素９４が、所定のパターンで複数個、前記溶着面９３上に配置されている。接合部対応領域９１における溶着促進要素９４の配置パターンは、先端接続部対応領域８２における溶着促進要素８７の配置パターンと異ならせてあり、溶着される際に接合部対応領域９１の溶着促進要素９４と先端接続部対応領域８２の溶着促進要素８７とが干渉しないように設定されている。また、ベース対応部９は、前記ベース６に相当する主要部９５と、リング４完成前に切り離される主要部以外の部位９６とを備えており、前述した位置決め用凹所６３及び溶着促進要素９４は、前記主要部９５に形成されている。なお、図７〜図１１では、主要部以外の部位９６にパターンを付して示している。
【００２８】
次に、上述したリングノートＮを製造する方法について、図１０〜図１２を用いて説明する。
【００２９】
まず、前記環状部５１に対応する環状部対応領域８１及び前記先端接続部５２に対応する先端接続部対応領域８２を備えたリング本体対応部８と、前記ベース６に対応するベース対応部９とを備えた合成樹脂製のリング形成部材７をインジェクション成型により一体に形成する。この段階では、リング形成部材７は、図９に示すような立体的な形状をなしている。
【００３０】
次いで、このリング形成部材７の複数のリング本体対応部８を用紙である表表紙１、裏表紙２及び中紙３の複数の綴じ孔１１、２１、３１にそれぞれ挿通する。すなわち、一定枚数の中紙３及び表紙１、２を揃えた状態で、綴じ孔１１、２１、３１に前記リング形成部材７のリング本体対応部８をそれぞれ貫通させ、その貫通端部である各先端接続部対応領域８２を図示しない治具によりそれぞれ保持する。
【００３１】
そして、図１０に示すように、前記治具を移動させることによりそれら各リング本体対応部８を湾曲変形させて、当該リング本体対応部８の先端接続部対応領域８２を前記ベース対応部９に添接させる。しかる後に、図１１に示すように、その添接部分を溶着する。前記リング本体対応部８の各先端接続部対応領域８２を前記ベース対応部９にそれぞれ添接させる際には、前記先端接続部対応領域８２の各位置決め用突起５８と、前記ベース対応部９の各位置決め用凹所６３とがそれぞれ係合して、前記先端接続部対応領域８２と前記ベース対応部９との位置ずれが防止される。また、この添接部分を加熱状態で挟圧して溶着処理を施す際には、前記溶着促進要素８７、９４が優先的に溶融して溶着面８６、９３に広がるため、円滑かつ確実な溶着が可能になる。
【００３２】
このようにして溶着が完了した後、前記ベース対応部９の主要部以外の部位９６及びこのベース対応部９に溶着されているリング本体対応部８の先端接続部対応領域８２の主要部以外の部位８９を切り離し、図１２に示すようなリングノートＮを得る。
【００３３】
以上に述べたように、本実施形態に係るリングノートＮは、綴じ孔１１、２１、３１を有した複数枚の用紙である表表紙１、裏表紙２及び中紙３を合成樹脂製のリング４により綴じてなるものであって、前記リング４が、前記綴じ孔１１、２１、３１にそれぞれ挿通された複数のリング本体５と、これらリング本体５の基端を相互に連結するとともに前記各リング本体５の先端側を保持して各リング本体５を閉環状に維持するベース６とを具備してなり、前記リング本体５が、前記ベース６の一側縁６ａ側に位置し表表紙１、裏表紙２及び中紙３を綴じる環状部５１と、前記ベース６に溶着された先端接続部５２とを備えたものであり、前記ベース６が、前記先端接続部５２が溶着される接合部６１と、これら接合部６１以外の非接合部６２とを長手方向に交互に備えたものである。そして、前記非接合部６２の一側縁６２ａを前記接合部６１の一側縁６１ａよりも前記環状部５１から離れる方向に偏位させて、前記接合部６１及び前記先端接続部５２の一部が裏表紙２、表表紙１及び一部の中紙３の綴じ孔２１、１１、３１内に入り込み得るように構成されている。そのため、図５に示すように前記接合部６１及び前記先端接続部５２の一部が裏表紙２、表表紙１及び一部の中紙３の綴じ孔２１、１１、３１内に入り込んだ状態で、裏表紙２から上方に突出するベース６の立ち上がり寸法を可及的に小さくできる。そのため、裏表紙２の上方に配置された中紙３の浮き上がりを、従来のものに比べて軽減させることが可能となる。
【００３４】
詳述すれば、本実施形態のリング４は、前記ベース６の非接合部６２における左右方向の幅寸法をｘとした際に、前記ベース６の接合部６１における左右方向の幅寸法をｘ＋α（α＞０）、かつ、前記リング本体５の先端接続部５２の延出寸法（ベース６の左右方向に対応する寸法）をｘ＋α（α＞０）としている。すなわち、前記ベース６の接合部６１の一側縁６１ａから他側縁６１ｂに至る距離と前記リング本体５の先端接続部５２の基端から先端に至る距離とを同一またはほぼ同一に設定するとともに、前記ベース６の非接合部６２の一側縁６２ａから他側縁６２ｂに至る距離を、前記ベース６の接合部６１の一側縁６１ａから他側縁６１ｂに至る距離及び前記リング本体５の先端接続部５２の基端から先端に至る距離よりも小さく設定している。しかして、図１４に示すように従来のものは、裏表紙Ｘ２とリングＸ４との接点が先端接続部Ｘ５２の基端（及びベースＸ６の一側縁Ｘ６ａ）であったが、本実施形態のものは、裏表紙２とリング４との接点が、図５に示すように、先端接続部５２の基端やベース６の接合部６１一側縁６１ａよりも反環状部側、すなわち先端接続部５２の先端（及びベース６の接合部６１の他側縁６１ｂ）側にずれることとなる。
【００３５】
以上説明したように、本実施形態のリング４によれば、平面視ほぼ矩形状をなすベース６から環状部５１側にはみ出した部分、すなわち、前述した接合部６１及び前記先端接続部５２の一部が前記綴じ孔２１、１１、３１内に入り込み得る構造となっている。そのため、前記非接合部６２の幅寸法（非接合部６２の一側縁６２ａから他側縁６２ｂに至る距離）及びこれに対応する前記接合部６１の幅寸法（接合部６１の基準位置６１ｃから他側縁６１ｂに至る距離）を小さく設定することができる。しかも、前記接合部６１の基準位置６１ｃから一側縁６１ａに至る部分（図３及び図５においてパターンを付して示している部分）においても、前記ベース６と前記リング本体５とが溶着されているので、互いに接合される面積を十分確保することができ、所望の溶着強度を得ることも可能である。
【００３６】
特に、複数枚の中紙３と表紙１、２とをリング４により綴じてなるリングノートＮであって、前記ベース６が、前記中紙３と裏表紙２との間に位置させたものであり、前記接合部６１及び前記先端接続部５２の一部が、裏表紙２の綴じ孔２１に入り込み得るように構成されているので、裏表紙２に近い中紙３のおさまりを良好なものとし、この中紙３に形成された最終ページであっても筆記等の作業を行いやすいものとすることができる。
【００３７】
また、本実施形態のベース６は、前記中紙３と前記ベース６とが接し得るとともに、前記裏表紙２と前記先端接続部５２とが接し得るように配されている。すなわち、従来のものは、図１３及び図１４に示すように、裏表紙Ｘ２とベースＸ６とが接し得るとともに、中紙Ｘ３と先端接続部Ｘ５２とが接し得るように配されていたため、最終ページの綴じ元側において中紙Ｘ３側に前記先端接続部Ｘ５２の有無による凹凸が表出していて、筆記等の作業が行いにくいという不具合が生じていた。しかしながら、本実施形態のものは、最終ページの綴じ元側において中紙３側に前記ベース６の平らな面が位置するため、上述した不具合の発生を抑制できる。
【００３８】
また、前記環状部５１が、前記ベース６の接合部６１の一側縁６１ａから立ち上がる平面帯状部分５３と、この平面帯状部分５３の先端に連続して形成され湾曲して前記先端接続部５２に至る曲面帯状部分５４とを備えたものであり、ベース６に隣接する箇所に平面帯状部分５３が形成されているので、この平面帯状部分５３において複数枚重なった用紙である表表紙１、裏表紙２及び中紙３の綴じ孔１１、２１、３１が整然と揃い、重なった表表紙１、裏表紙２及び中紙３の横方向へのずれを抑制することができる。詳述すれば、このリング本体５の環状部５１は、平面帯状部分５３と曲面帯状部分５４とを備えた全体として底面視ほぼＤ字形状をなしている。ここで、表紙１、２及び中紙３の合計厚み寸法は、前記平面帯状部分５３の長さ寸法とほぼ同じ、または若干小さく設定してあるので、前記表紙１、２及び中紙３の綴じ孔１１、２１、３１内にリング本体５の平面帯状部分５３が入った状態で、前記綴じ孔１１、２１、３１が整然と揃うこととなる。
【００３９】
前記ベース６の接合部６１及びリング本体５の先端接続部５２の幅寸法（換言すれば、リングノートＮにおける上下方向の寸法）が、環状部５１の幅寸法（換言すれば、リングノートＮにおける上下方向の寸法であって、リング本体５の延出方向に直交する方向の寸法）とほぼ同一に設定されているので、前記環状部５１の根元側である前記ベース６の接合部６１及び前記リング本体５の先端接続部５２の一部を綴じ孔１１、２１、３１内に誘い込むことができる。
【００４０】
また、複数のリング本体５は、複数設けられた綴じ孔１１、２１、３１にそれぞれ対応して挿通されたものであり、本実施形態では、矩形状の綴じ孔１１、２１、３１の縦方向の辺の寸法を前記リング形成部材７の環状部対応領域８１の幅寸法にほぼ一致させているため、前記環状部対応領域８１に対応したリング４の環状部５１がリングノートＮの長手方向側にずれたり変形したりすることも抑制できる。
【００４１】
さらに、ベース６は、平板状をなすものであるためリングノートＮの厚みを比較的抑えることができる。このベース６は、裏表紙２とこの裏表紙２に隣接する中紙３の間に位置させているので、リングノートＮを閉じた際には、表表紙１側及び裏表紙２側のいずれからもベース６が隠蔽されることになる。また、リングノートＮを裏表紙２以外の部分で開いた際にも、前記ベース６は使用者から見えないものとなる。したがって、リングノートＮを通常使用する際には、リング４のうち環状部５１のみが外側に露出することになるため、従来の金属線材のリング等の場合と同じような外観を得ることができる。
【００４２】
また、リング本体５がベース６に溶着で接合される際、リング本体対応部８の先端接続部対応領域８２の溶着面８６及びベース対応部９の溶着面９３が塑性変形するため、リング本体５とベース６とを密着させることができる。
【００４３】
なお、本発明は以上に述べた実施形態に限られない。
【００４４】
本発明のリングノートは、非接合部の一側縁を接合部の一側縁よりも環状部から離れる方向に偏位させて、接合部及び先端接続部の一部が用紙の綴じ孔内に入り込み得るように構成されたものであればどのようなものであってもよく、例えば、ベースの形状は、図示したものに限られず種々変更可能である。また、接合部の左右方向幅寸法、すなわち接合部の一側縁側から他側縁側までの距離と、先端接続部の基端から先端までの距離とを、相互に異ならせてもよいのはもちろんである。
【００４５】
また、ベースは、中紙と裏表紙との間に位置させたものに限られず、中紙と表表紙との間や、隣接する中紙間、または表表紙と裏表紙との間に位置させたものであってもよい。
【００４６】
ベースと先端接続部との接合方法は、溶着によるものに限られず、接着剤等を用いた接着によるものであってもよい。すなわち、上述した実施形態における「溶着」を「接着」に読み替えてもよい。また、溶着の場合には、ニクロム線等を用いた熱溶着の他、超音波による溶着や高周波による溶着等も考えられる。
【００４７】
さらに、ベースの接合部やリング本体の先端接続部の幅寸法は、接合部及び先端接続部の一部が用紙の綴じ孔内に入り込み得るように設定されたものであればどのようなものであってもよく、上述した環状部の幅寸法とほぼ同一に設定されているものの他、前記環状部の幅寸法と異ならせているものであってもよいのはもちろんである。また、上述した位置決め用突起及び位置決め用凹所を備えていないものであってもよい。さらに、本発明の「綴じ孔内に入り込み得るように設定された接合部及び先端接続部の一部」は、接合部と先端接続部とが互いに全面的に溶着／接着されるものに限られず、一部のみが溶着／接着されるものや、全く溶着／接着されないものであってもよい。一例として、ベースの接合部のうち前記基準位置から他側縁までの部分と、この部分に重なり合う先端接続部のみを溶着／接着するとともに、ベースの接合部のうち前記基準位置から一側縁までの部分と、この部分に重なり合う先端接続部とは溶着／接着を行わないようにすることが考えられる。すなわち、前記接合部及び先端接続部の一部（基準位置よりも環状部側にはみ出している部分）は、接合部と先端接続部とが互いに隣接した状態を維持しながら綴じ孔内に入り込むようなものであれば、どのようなものであってもよい。
【００４８】
リング本体の形状は、図示したものに限られず種々変更可能であり、例えば、横断面形状が扁平なほぼ矩形状のものや、円形状、楕円形状、その他の形状のものであってもよい。さらに、リング本体の厚み寸法も一定のものに限られず、その厚み寸法が変わるものであってもよい。
【００４９】
また、リング本体の円弧形状はどのようなものであってもよく、上述した実施形態では、リング本体対応部の環状部対応領域に、異なった曲率を有した２種類の曲面帯状部分対応箇所を設定していたが、上述した目的に沿った、すなわち、完成された環状部の曲面帯状部分が用紙を案内しやすい形状に設計されたものであれば種々変更可能である。曲面帯状部分対応領域の曲率を全体として同じに（曲率を１種類に設定）してもよいし、異なった曲率を有した多種類の曲面帯状部分対応箇所を設定してもよいのはもちろんである。また、曲面帯状部分の形状も、円弧には限られない。
【００５０】
また、上述した実施形態では、リングノートの製造段階で、ベース対応部の主要部以外の部位及びこのベース対応部に溶着されているリング本体対応部の先端接続部対応領域の主要部以外の部位を切り離すようにしていたが、これには限られない。例えば、リング本体対応部の先端接続部対応領域をベース対応部に溶着した後、ベース対応部の他側縁からはみ出した先端接続部対応領域を切り離すようにしたものや、逆に、先端接続部対応領域の先端縁からはみ出したベース対応部を切り離すようにしたものであってもよい。また、リング本体対応部の先端接続部対応領域の先端縁とベース対応部の他側縁とを溶着段階で揃えて、溶着後に切り離し加工を施さないようにしたものであってもよいのはもちろんである。すなわち、リング形成部材が、上述した実施形態における「主要部以外の部位」（余白部分）を備えていないものであってもよい。また、リング本体の先端の形状及びリング本体対応部の先端の形状は、図示した四角形状の他、円弧状や三角形状等であってもよい。
【００５１】
さらに、リング形成部材は、リングノートの縦寸法にほぼ対応する長さ寸法を有したものに限られず、これより短いものであってもよい。その場合には、複数のリング形成部材を用いてリングノートを形成すればよい。すなわち、上述した実施形態では、リングノートの上端から下端まで至る長さ寸法を有する単一のリング形成部材により用紙を綴じるようにしていたが、リングノートの上端から下端までを複数箇所に分けて、上述したものより短い寸法を有する複数のリング形成部材により用紙を綴じるようにしてもよい。
【００５２】
リングノートには、手帳サイズ、通常のノートサイズの他、種々の大きさが考えられる。また、綴じ孔の形状は、矩形の他、円、楕円、その他の形状であってもよい。
【００５３】
リング本体の素材は、前述した合成樹脂の他、例えば、紙等の繊維製、グラスファイバー製、アルミニウムなどの金属、形状記憶合金、繊維を織らずに絡み合わせたシート状の不織布、またはその他適宜の天然素材等であってもよい。
【００５４】
その他、本発明の趣旨を損ねない範囲で種々に変更してよい。
【符号の説明】
【００５５】
Ｎ…リングノート
１１、２１、３１…綴じ孔
３…中紙
４…リング
５…リング本体
５１…環状部
５２…先端接続部
５３…平面帯状部分
５４…曲面帯状部分
６…ベース
６ａ…一側縁
６１…接合部
６１ａ…一側縁
６２…非接合部
６２ａ…一側縁
【図１】
2015174414.tif 000003
【図２】
2015174414.tif 000004
【図３】
2015174414.tif 000005
【図４】
2015174414.tif 000006
【図５】
2015174414.tif 000007
【図６】
2015174414.tif 000008
【図７】
2015174414.tif 000009
【図８】
2015174414.tif 000010
【図９】
2015174414.tif 000011
【図１０】
2015174414.tif 000012
【図１１】
2015174414.tif 000013
【図１２】
2015174414.tif 000014
【図１３】
2015174414.tif 000015
【図１４】
2015174414.tif 000016